(57)【要約】【課題】ユーザが薬品に関する情報を迅速且つ容易に入手可能な薬品情報提供装置、薬品情報提供プログラム、プログラム記録媒体及び薬品情報提供方法を提供する。【解決手段】ユーザが薬品の指定を行うための薬品指定画面を表示する薬品指定画面表示部１２と、ユーザが薬品を識別するための薬品識別情報を記憶する薬品識別情報記憶部１４と、薬品識別情報と対応付けられた薬品詳細情報を記憶する薬品詳細情報記憶部１７と、薬品識別情報を薬品指定画面に表示する薬品識別情報表示部１３と、ユーザにより薬品識別情報が指定された旨を検知する検知部１５と、薬品識別情報が指定された旨が検知部１５により検知されると指定された薬品識別情報と対応付けられた薬品詳細情報を薬品指定画面に表示する薬品詳細情報表示部１６とを設ける。【選択図】      図１
2004234502.tif 000002
【特許請求の範囲】
【請求項１】
ユーザが指定した薬品に関する情報を該ユーザに提供するための情報提供画面を表示する薬品情報提供装置であって、
前記ユーザが薬品の指定を行うための薬品指定画面を前記情報提供画面に表示する薬品指定画面表示手段と、
前記薬品を識別するための薬品識別情報を記憶する薬品識別情報記憶手段と、前記薬品識別情報と対応付けられた前記薬品の使用法の詳細に係る薬品詳細情報を記憶する薬品詳細情報記憶手段と、
前記薬品識別情報を前記薬品識別情報記憶手段から読み取り、前記薬品指定画面に表示する薬品識別情報表示手段と、
前記ユーザにより前記薬品指定画面に表示された薬品識別情報が指定された旨を検知する検知手段と、
前記表示された薬品識別情報が指定された旨が前記検知手段により検知されると、前記指定された薬品識別情報と対応付けられた前記薬品詳細情報を前記薬品詳細情報記憶手段から読み取り、前記情報提供画面と前記薬品指定画面の内の少なくとも一方に表示する薬品詳細情報表示手段と
を有することを特徴とする薬品情報提供装置。
【請求項２】
前記薬品指定画面表示手段は、前記ユーザが前記表示された薬品識別情報を指定するための移動可能なポインタを表示するポインタ表示手段を有することを特徴とする請求項１に記載の薬品情報提供装置。
【請求項３】
前記検知手段は、前記ポインタが前記表示された薬品識別情報上と該表示された薬品識別情報の近傍の内の少なくとも一方へ移動したことにより該表示された薬品識別情報がユーザにより指定された旨を検知するポインタ指定検知手段を有することを特徴とする請求項２に記載の薬品情報提供装置。
【請求項４】
前記薬品指定画面表示手段は、前記表示された薬品識別情報を指定するにあたって前記ポインタによりチェックマークが付与される薬品指定欄を表示する薬品指定欄表示手段を有し、
前記検知手段は、前記ポインタにより前記薬品指定欄にチェックマークが付与されたことにより前記表示された薬品識別情報が指定された旨を検知するチェックマーク指定検知手段を有する
ことを特徴とする請求項２又は３に記載の薬品情報提供装置。
【請求項５】
前記薬品識別情報記憶手段は、複数の前記薬品識別情報を記憶する手段であり、
前記薬品識別情報表示手段は、前記複数の薬品識別情報を前記薬品識別情報記憶手段から読み取り、前記薬品指定画面に所定の優先順位に基づいて表示する優先順位別表示手段を有する
ことを特徴とする請求項１乃至４のいずれか１項に記載の薬品情報提供装置。
【請求項６】
前記薬品識別情報表示手段は、前記薬品識別情報を前記薬品指定画面の所定の位置に表示する所定位置表示手段を有することを特徴とする請求項１乃至５のいずれか１項に記載の薬品情報提供装置。
【請求項７】
前記薬品識別情報と前記薬品詳細情報の内の少なくとも一方を他の端末との間で送受信する送受信手段を有することを特徴とする請求項１乃至６のいずれか１項に記載の薬品情報提供装置。
【請求項８】
ユーザが指定した薬品に関する情報を該ユーザに提供するための情報提供画面を表示するコンピュータで用いられる薬品情報提供プログラムであって、
前記コンピュータを、
前記ユーザが薬品の指定を行うための薬品指定画面を前記情報提供画面に表示する薬品指定画面表示手段と、
前記薬品を識別するための薬品識別情報を記憶する薬品識別情報記憶手段と、前記薬品識別情報と対応付けられた前記薬品の使用法の詳細に係る薬品詳細情報を記憶する薬品詳細情報記憶手段と、
前記薬品識別情報を前記薬品識別情報記憶手段から読み取り、前記薬品指定画面に表示する薬品識別情報表示手段と、
前記ユーザにより前記薬品指定画面に表示された薬品識別情報が指定された旨を検知する検知手段と、
前記表示された薬品識別情報が指定された旨が前記検知手段により検知されると、前記指定された薬品識別情報と対応付けられた前記薬品詳細情報を前記薬品詳細情報記憶手段から読み取り、前記情報提供画面と前記薬品指定画面の内の少なくとも一方に表示する薬品詳細情報表示手段
として機能させることを特徴とする薬品情報提供プログラム。
【請求項９】
前記薬品指定画面表示手段を、前記ユーザが前記表示された薬品識別情報を指定するための移動可能なポインタを表示するポインタ表示手段として機能させることを特徴とする請求項８に記載の薬品情報提供プログラム。
【請求項１０】
前記検知手段を、前記ポインタが前記表示された薬品識別情報上と該表示された薬品識別情報の近傍の内の少なくとも一方へ移動したことにより該表示された薬品識別情報がユーザにより指定された旨を検知するポインタ指定検知手段として機能させることを特徴とする請求項９に記載の薬品情報提供プログラム。
【請求項１１】
前記薬品指定画面表示手段を、前記表示された薬品識別情報を指定するにあたって前記ポインタによりチェックマークが付与される薬品指定欄を表示する薬品指定欄表示手段として機能させ、
前記検知手段を、前記ポインタにより前記薬品指定欄にチェックマークが付与されたことにより前記表示された薬品識別情報が指定された旨を検知するチェックマーク指定検知手段として機能させる
ことを特徴とする請求項９又は１０に記載の薬品情報提供プログラム。
【請求項１２】
前記薬品識別情報記憶手段を、複数の前記薬品識別情報を記憶する手段として機能させ、
前記薬品識別情報表示手段を、前記複数の薬品識別情報を前記薬品識別情報記憶手段から読み取り、前記薬品指定画面に所定の優先順位に基づいて表示する優先順位別表示手段として機能させる
ことを特徴とする請求項８乃至１１のいずれか１項に記載の薬品情報提供プログラム。
【請求項１３】
前記薬品識別情報表示手段を、前記薬品識別情報を前記薬品指定画面の所定の位置に表示する所定位置表示手段として機能させることを特徴とする請求項８乃至１２のいずれか１項に記載の薬品情報提供プログラム。
【請求項１４】
前記コンピュータを、前記薬品識別情報と前記薬品詳細情報の内の少なくとも一方を他の端末との間で送受信する送受信手段として機能させることを特徴とする請求項８乃至１３のいずれか１項に記載の薬品情報提供プログラム。
【請求項１５】
請求項８乃至１４の内の少なくとも１項に記載の薬品情報提供プログラムを記録したことを特徴とするプログラム記録媒体。
【請求項１６】
コンピュータを用いて、ユーザが指定した薬品に関する情報を該ユーザに提供するための情報提供画面を表示する薬品情報提供方法であって、
前記ユーザが薬品の指定を行うための薬品指定画面を前記情報提供画面に表示する薬品指定画面表示ステップと、
前記薬品を識別するための薬品識別情報を記憶する薬品識別情報記憶ステップと、
前記薬品識別情報と対応付けられた前記薬品の使用法の詳細に係る薬品詳細情報を記憶する薬品詳細情報記憶ステップと、
前記記憶された薬品識別情報を読み取り、前記薬品指定画面に表示する薬品識別情報表示ステップと、
前記ユーザにより前記薬品指定画面に表示された薬品識別情報が指定された旨を検知する検知ステップと、
前記表示された薬品識別情報が指定された旨が検知されると、前記指定された薬品識別情報と対応付けられた前記薬品詳細情報を読み取り、前記情報提供画面と前記薬品指定画面の内の少なくとも一方に表示する薬品詳細情報表示ステップと
を有することを特徴とする薬品情報提供方法。
【請求項１７】
前記薬品指定画面表示ステップは、前記ユーザが前記表示された薬品識別情報を指定するための移動可能なポインタを表示するポインタ表示ステップを有することを特徴とする請求項１６に記載の薬品情報提供方法。
【請求項１８】
前記検知ステップは、前記ポインタが前記表示された薬品識別情報上と該表示された薬品識別情報の近傍の内の少なくとも一方へ移動したことにより該表示された薬品識別情報がユーザにより指定された旨を検知するポインタ指定検知ステップを有することを特徴とする請求項１７に記載の薬品情報提供方法。
【請求項１９】
前記薬品指定画面表示ステップは、前記表示された薬品識別情報を指定するにあたって前記ポインタによりチェックマークが付与される薬品指定欄を表示する薬品指定欄表示ステップを有し、
前記検知ステップは、前記ポインタにより前記薬品指定欄にチェックマークが付与されたことにより前記表示された薬品識別情報が指定された旨を検知するチェックマーク指定検知ステップを有する
ことを特徴とする請求項１７又は１８に記載の薬品情報提供方法。
【請求項２０】
前記薬品識別情報記憶ステップは、複数の前記薬品識別情報を記憶するステップであり、
前記薬品識別情報表示ステップは、前記記憶された複数の薬品識別情報を読み取り、前記薬品指定画面に所定の優先順位に基づいて表示する優先順位別表示ステップを有する
ことを特徴とする請求項１６乃至１９のいずれか１項に記載の薬品情報提供方法。
【請求項２１】
前記薬品識別情報表示ステップは、前記薬品識別情報を前記薬品指定画面の所定の位置に表示する所定位置表示ステップを有することを特徴とする請求項１６乃至２０のいずれか１項に記載の薬品情報提供方法。
【請求項２２】
前記薬品識別情報と前記薬品詳細情報の内の少なくとも一方を他の端末との間で送受信する送受信ステップを有することを特徴とする請求項１６乃至２１のいずれか１項に記載の薬品情報提供方法。
【発明の詳細な説明】
【０００１】
【発明の属する技術分野】
本発明は、ユーザが指定した薬品に関する情報を該ユーザに提供するための情報提供画面を表示する薬品情報提供装置、薬品情報提供プログラム、プログラム記録媒体及び薬品情報提供方法に関する。
【０００２】
【従来の技術】
医師、薬剤師等の医療従事者（以下、“ユーザ”とする）が、医薬品の処方に関する情報、その医学的性質といった医学情報を入手するにあたっては、医薬品の添付文書や前記の各種情報を提供するための薬品情報提供装置が用いられている（例えば、特許文献１参照）。
【０００３】
また、ユーザが医薬品の処方を行うにあたっては、医薬品をその薬効や適用可能な疾患毎に分類したリストが用いられているが、上記の薬品情報提供装置がこれを提供する場合もある。
【０００４】
【特許文献１】
特開２００２−１９７１８８号公報（第７頁、第１３図）
【０００５】
【発明が解決しようとする課題】
ユーザ等は、上記のような薬品情報提供装置を用いて上記のような薬品に関する情報を適宜閲覧することができるが、装置の構成によっては、薬品に関する情報を閲覧するにあたって別アプリケーションを起動しなければならない場合もあれば、ユーザ等が日常業務で用いるコンピュータ等とは別のシステムとして構成されている場合もある。
【０００６】
また、例えば、一覧表示した複数の薬品の中からユーザにより指定された薬品に関する情報を同じ画面に表示した際、表示画面全体のスペースに限度がある場合、文字や図形が非常に小さくなることがある。
また、一覧表示された全ての情報を閲覧する必要もあり、入手したい情報がすぐに見つからないこともある。
以上の点から、上記のような薬品情報提供装置は必ずしもユーザが情報を容易に入手できるものとはいえない。
【０００７】
さらに、上記のような煩雑さを伴う動作を診療時等に行うのは時間的にも非常に困難である。
また、通常、ユーザは薬品に関する情報を記憶し、この記憶に基づいて文書や装置を頼らずに薬品に関する情報を活用することができるが、実際にはユーザ個人が記憶できる範囲の情報は、すでに高度化された現在の医療に対しては不十分な場合もあり、また、ユーザ個人の記憶に過度に依存することは、医療過誤につながる場合もあり、これを防止すべく、正確な情報をユーザが迅速且つ容易に入手可能な形態で提供する必要がある。
【０００８】
このような事情に鑑み、本発明は、ユーザが薬品に関する情報を迅速且つ容易に入手可能な薬品情報提供装置、薬品情報提供プログラム、プログラム記録媒体及び薬品情報提供方法を提供することを目的とする。
【０００９】
【課題を解決するための手段】
請求項１に記載の本発明は、ユーザが指定した薬品に関する情報をユーザに提供するための情報提供画面を表示する薬品情報提供装置であって、ユーザが薬品の指定を行うための薬品指定画面を情報提供画面に表示する薬品指定画面表示手段と、薬品を識別するための薬品識別情報を記憶する薬品識別情報記憶手段と、薬品識別情報と対応付けられた薬品の使用法の詳細に係る薬品詳細情報を記憶する薬品詳細情報記憶手段と、薬品識別情報を薬品識別情報記憶手段から読み取り、薬品指定画面に表示する薬品識別情報表示手段と、ユーザにより薬品指定画面に表示された薬品識別情報が指定された旨を検知する検知手段と、表示された薬品識別情報が指定された旨が検知手段により検知されると、指定された薬品識別情報と対応付けられた薬品詳細情報を薬品詳細情報記憶手段から読み取り、情報提供画面と薬品指定画面の内の少なくとも一方に表示する薬品詳細情報表示手段とを有することを要旨とする。
【００１０】
請求項２に記載の本発明は、請求項１に記載の発明において、薬品指定画面表示手段は、ユーザが表示された薬品識別情報を指定するための移動可能なポインタを表示するポインタ表示手段を有することを要旨とする。
【００１１】
請求項３に記載の本発明は、請求項２に記載の発明において、検知手段は、ポインタが表示された薬品識別情報上と表示された薬品識別情報の近傍の内の少なくとも一方へ移動したことにより表示された薬品識別情報がユーザにより指定された旨を検知するポインタ指定検知手段を有することを要旨とする。
【００１２】
請求項４に記載の本発明は、請求項２又は３に記載の発明において、薬品指定画面表示手段は、表示された薬品識別情報を指定するにあたってポインタによりチェックマークが付与される薬品指定欄を表示する薬品指定欄表示手段を有し、検知手段は、ポインタにより薬品指定欄にチェックマークが付与されたことにより表示された薬品識別情報が指定された旨を検知するチェックマーク指定検知手段を有することを要旨とする。
【００１３】
請求項５に記載の本発明は、請求項１乃至４のいずれか１項に記載の発明において、薬品識別情報記憶手段は、複数の薬品識別情報を記憶する手段であり、薬品識別情報表示手段は、複数の薬品識別情報を薬品識別情報記憶手段から読み取り、薬品指定画面に所定の優先順位に基づいて表示する優先順位別表示手段を有することを要旨とする。
【００１４】
請求項６に記載の本発明は、請求項１乃至５のいずれか１項に記載の発明において、薬品識別情報表示手段は、薬品識別情報を薬品指定画面の所定の位置に表示する所定位置表示手段を有することを要旨とする。
【００１５】
請求項７に記載の本発明は、請求項１乃至６のいずれか１項に記載の発明において、薬品識別情報と薬品詳細情報の内の少なくとも一方を他の端末との間で送受信する送受信手段を有することを要旨とする。
【００１６】
請求項８に記載の本発明は、ユーザが指定した薬品に関する情報をユーザに提供するための情報提供画面を表示するコンピュータで用いられる薬品情報提供プログラムであって、コンピュータを、ユーザが薬品の指定を行うための薬品指定画面を情報提供画面に表示する薬品指定画面表示手段と、薬品を識別するための薬品識別情報を記憶する薬品識別情報記憶手段と、薬品識別情報と対応付けられた薬品の使用法の詳細に係る薬品詳細情報を記憶する薬品詳細情報記憶手段と、薬品識別情報を薬品識別情報記憶手段から読み取り、薬品指定画面に表示する薬品識別情報表示手段と、ユーザにより薬品指定画面に表示された薬品識別情報が指定された旨を検知する検知手段と、表示された薬品識別情報が指定された旨が検知手段により検知されると、指定された薬品識別情報と対応付けられた薬品詳細情報を薬品詳細情報記憶手段から読み取り、情報提供画面と薬品指定画面の内の少なくとも一方に表示する薬品詳細情報表示手段として機能させることを要旨とする。
【００１７】
請求項９に記載の本発明は、請求項８に記載の発明において、薬品指定画面表示手段を、ユーザが表示された薬品識別情報を指定するための移動可能なポインタを表示するポインタ表示手段として機能させることを要旨とする。
【００１８】
請求項１０に記載の本発明は、請求項９に記載の発明において、検知手段を、ポインタが表示された薬品識別情報上と表示された薬品識別情報の近傍の内の少なくとも一方へ移動したことにより表示された薬品識別情報がユーザにより指定された旨を検知するポインタ指定検知手段として機能させることを要旨とする。
【００１９】
請求項１１に記載の本発明は、請求項９又は１０に記載の発明において、薬品指定画面表示手段を、表示された薬品識別情報を指定するにあたってポインタによりチェックマークが付与される薬品指定欄を表示する薬品指定欄表示手段として機能させ、検知手段を、ポインタにより薬品指定欄にチェックマークが付与されたことにより表示された薬品識別情報が指定された旨を検知するチェックマーク指定検知手段として機能させることを要旨とする。
【００２０】
請求項１２に記載の本発明は、請求項８乃至１１のいずれか１項に記載の発明において、薬品識別情報記憶手段を、複数の薬品識別情報を記憶する手段として機能させ、薬品識別情報表示手段を、複数の薬品識別情報を薬品識別情報記憶手段から読み取り、薬品指定画面に所定の優先順位に基づいて表示する優先順位別表示手段として機能させることを要旨とする。
【００２１】
請求項１３に記載の本発明は、請求項８乃至１２のいずれか１項に記載の発明において、薬品識別情報表示手段を、薬品識別情報を薬品指定画面の所定の位置に表示する所定位置表示手段として機能させることを要旨とする。
【００２２】
請求項１４に記載の本発明は、請求項８乃至１３のいずれか１項に記載の発明において、コンピュータを、薬品識別情報と薬品詳細情報の内の少なくとも一方を他の端末との間で送受信する送受信手段として機能させることを要旨とする。
【００２３】
請求項１５に記載の本発明は、請求項８乃至１４の内の少なくとも１項に記載の薬品情報提供プログラムを記録したプログラム記録媒体であることを要旨とする。
【００２４】
請求項１６に記載の本発明は、コンピュータを用いて、ユーザが指定した薬品に関する情報をユーザに提供するための情報提供画面を表示する薬品情報提供方法であって、ユーザが薬品の指定を行うための薬品指定画面を情報提供画面に表示する薬品指定画面表示ステップと、薬品を識別するための薬品識別情報を記憶する薬品識別情報記憶ステップと、薬品識別情報と対応付けられた薬品の使用法の詳細に係る薬品詳細情報を記憶する薬品詳細情報記憶ステップと、記憶された薬品識別情報を読み取り、薬品指定画面に表示する薬品識別情報表示ステップと、ユーザにより薬品指定画面に表示された薬品識別情報が指定された旨を検知する検知ステップと、表示された薬品識別情報が指定された旨が検知されると、指定された薬品識別情報と対応付けられた薬品詳細情報を読み取り、情報提供画面と薬品指定画面の内の少なくとも一方に表示する薬品詳細情報表示ステップとを有することを要旨とする。
【００２５】
請求項１７に記載の本発明は、請求項１６に記載の発明において、薬品指定画面表示ステップは、ユーザが表示された薬品識別情報を指定するための移動可能なポインタを表示するポインタ表示ステップを有することを要旨とする。
【００２６】
請求項１８に記載の本発明は、請求項１７に記載の発明において、請求項検知ステップは、ポインタが表示された薬品識別情報上と表示された薬品識別情報の近傍の内の少なくとも一方へ移動したことにより表示された薬品識別情報がユーザにより指定された旨を検知するポインタ指定検知ステップを有することを要旨とする。
【００２７】
請求項１９に記載の本発明は、請求項１７又は１８に記載の発明において、薬品指定画面表示ステップは、表示された薬品識別情報を指定するにあたってポインタによりチェックマークが付与される薬品指定欄を表示する薬品指定欄表示ステップを有し、検知ステップは、ポインタにより薬品指定欄にチェックマークが付与されたことにより表示された薬品識別情報が指定された旨を検知するチェックマーク指定検知ステップを有することを要旨とする。
【００２８】
請求項２０に記載の本発明は、請求項１６乃至１９のいずれか１項に記載の発明において、薬品識別情報記憶ステップは、複数の薬品識別情報を記憶するステップであり、薬品識別情報表示ステップは、記憶された複数の薬品識別情報を読み取り、薬品指定画面に所定の優先順位に基づいて表示する優先順位別表示ステップを有することを要旨とする。
【００２９】
請求項２１に記載の本発明は、請求項１６乃至２０のいずれか１項に記載の発明において、薬品識別情報表示ステップは、薬品識別情報を薬品指定画面の所定の位置に表示する所定位置表示ステップを有することを要旨とする。
【００３０】
請求項２２に記載の本発明は、請求項１６乃至２１のいずれか１項に記載の発明において、薬品識別情報と薬品詳細情報の内の少なくとも一方を他の端末との間で送受信する送受信ステップを有することを要旨とする。
【００３１】
【発明の実施の形態】
以下、図面を用いつつ本発明の薬品情報提供装置、薬品情報提供プログラム、プログラム記録媒体及び薬品情報提供方法についての説明を行う。
なお、以下の実施の形態は、あくまでも本発明の説明のためのものであり、本発明の範囲を制限するものではない。したがって、当業者であれば、これらの各要素又は全要素を含んだ各種の実施の形態を採用することが可能であるが、これらの実施の形態も本発明の範囲に含まれる。
また、実施の形態を説明するための全図において、同一要素のものは同一符号を付与し、これに関する反復説明は省略する。
【００３２】
図１は、本発明の一実施の形態に係る薬品情報提供装置１の構成を示すブロック図である。
薬品情報提供装置１は、モニタ１１と、請求項に記載の薬品指定画面表示手段に含まれる薬品指定画面表示部１２と、請求項に記載の薬品識別情報表示手段に含まれる薬品識別情報表示部１３と、請求項に記載の検知手段に含まれる検知部１５と、請求項に記載の薬品詳細情報表示手段に含まれる薬品詳細情報表示部１６と、記憶部１８と、請求項に記載の送受信手段に含まれる送信部１９及び受信部２０とを有し、ネットワーク２に接続されている。
【００３３】
また、記憶部１８は、請求項に記載の薬品識別情報記憶手段に含まれる薬品識別情報記憶部１４と、請求項に記載の薬品詳細情報記憶手段に含まれる薬品詳細情報記憶部１７とを有する。
【００３４】
薬品識別情報記憶部１４は、薬品の名称、コード、そして錠剤、散剤、液剤といった区分等のユーザが薬品を識別するための薬品識別情報を記憶する。
【００３５】
薬品詳細情報記憶部１７は、前記の薬品識別情報と対応付けられたその薬品の詳細な情報、例えば、医薬品の処方に関する情報、その医学的性質といった医学情報、適用可能な疾患等に関する情報を記憶する。
【００３６】
薬品指定画面表示部１２は、ユーザが詳細な情報を入手したい薬品を指定するための薬品指定画面をモニタ１１に表示するためのものであり、薬品指定画面表示を実行する画面表示実行部１２１と、請求項に記載のポインタ表示手段に含まれるポインタ表示部１２２と、請求項に記載の薬品指定欄表示手段に含まれる薬品指定欄表示部１２３とを有する。
【００３７】
ポインタ表示部１２２は、ユーザにより移動可能なポインタをモニタ１１に表示し、これを制御する。
【００３８】
薬品指定欄表示部１２３は、画面表示実行部１２１により表示された薬品表示画面に薬品を指定するための薬品指定欄を表示される。なお、この薬品指定欄は、前記のポインタによりチェックマークが付与される。
【００３９】
薬品識別情報表示部１３は、前述の薬品識別情報を薬品識別情報記憶部１４より読み出し、薬品指定画面に表示するためのものであり、薬品識別情報表示を実行する情報表示実行部１３１と、請求項に記載の優先順位別表示手段に含まれる優先順位別表示部１３２と、請求項に記載の所定位置表示手段に対応する所定位置表示部１３３とを有する。
【００４０】
優先順位別表示部１３２は、薬品識別情報をユーザ等により定められた優先順位に基づいて表示する。
【００４１】
所定位置表示部１３３は、薬品識別情報を薬品指定画面上のユーザ等により定められた位置に表示する。
【００４２】
検知部１５は、請求項に記載のポインタ指定検知手段に含まれるポインタ指定検知部１５１、クリック指定検知部１５２、請求項に記載のチェックマーク指定検知手段に含まれるチェックマーク指定検知部１５３とを有する。
【００４３】
ポインタ指定検知部１５１は、ユーザが詳細な情報を入手したい薬品を指定すべく前記のポインタを薬品指定画面に表示された薬品識別情報の上もしくは近傍に移動した場合（適宜“マウスオーバ”の用語を用いる）に、その薬品識別情報がユーザにより指定された旨を検知する。
【００４４】
クリック指定検知部１５２は、ユーザが詳細な情報を入手したい薬品を指定すべく前記のポインタにより薬品指定画面に表示された薬品識別情報をクリックした場合に、その薬品識別情報がユーザにより指定された旨を検知する。
【００４５】
チェックマーク指定検知部１５３は、ユーザが詳細な情報を入手したい薬品を指定すべく前記のポインタにより薬品指定画面に表示された薬品指定欄にチェックマークを付与した場合に、その薬品識別情報がユーザにより指定された旨を検知する。
【００４６】
薬品詳細情報表示部１６は、検知部１５により特定の薬品識別情報が指定されると、その薬品に対応する詳細な情報を薬品詳細情報記憶部１７より読み出し、モニタ１１に表示する。なお、薬品の詳細な情報を表示する方式としては、別画面表示やポップアップ表示等が挙げられる。
【００４７】
送信部１９は、前記の薬品識別情報と薬品詳細情報のうちのいずれか一方をネットワーク２を介して他の装置へ送信する。
【００４８】
受信部２０は、前記の薬品識別情報と薬品詳細情報のうちのいずれか一方を他の装置からネットワーク２を介して受信する。
【００４９】
上記のように、薬品の詳細な情報を別画面表示あるいはポップアップ表示することにより、ユーザが薬品の詳細な情報を迅速且つ容易に入手することが可能となる。
【００５０】
また、薬品識別情報と薬品詳細情報を送信又は受信することにより、他の装置との間で情報の共有が可能となる。
【００５１】
以上の点から、日常的な診療に不可欠な医学知識を的確な時期に迅速に提供することが可能となり、処方指示に至るまでの医師の思考作業を支援することができ、迅速かつ正確な診療が可能となる。
【００５２】
また、本装置が提供する情報には、特定疾患の専門医等の経験に裏付けられた診療の要点や、いわゆる「コツ」や「匙加減」に関する情報も含ませることができる。これにより、開業医、臨床研修医及び医学教育にも用いることができ、その実用的効果は極めて大きい。
【００５３】
なお、本実施に形態における薬品情報提供装置１は、医薬品に関する情報を提供することを前提としているが、これに限定されず、工業薬品等のあらゆる薬品に関する情報を提供することも可能である。
【００５４】
図２は、図１の薬品識別情報記憶部１４に記憶される薬品識別情報の構成を示す図であり、この薬品識別情報は、４つのテーブルに分けて記憶され、其々のテーブルは対応付けが為されている。
テーブル（ａ）「大区分薬名テーブル」は、塩酸ゼビメリン水和物といった一般的な薬品名（一般薬品名）、これに対応する腹膜透析液といった目的薬名に関するデータを管理するためのテーブルである。
【００５５】
テーブル（ｂ）「商品薬名テーブル」は、薬の商品名（商品薬名）に関するデータを管理するためのテーブルである。
【００５６】
テーブル（ｃ）「表示グループテーブル」は、図１のモニタ１１の画面上における表示位置、表示の優先順位を制御するためのテーブルである。
【００５７】
テーブル（ｄ）「関連制御テーブル」は、上記のテーブル（ａ）、（ｂ）及び（ｃ）の関連付けを制御するためのテーブルである。
【００５８】
また、特定の薬品は複数の商品薬名が存在する場合があるため、これらの薬品に関する情報はテーブル（ａ）と（ｂ）の両方により管理する。
【００５９】
図３は、図１の薬品情報提供装置１により表示される画面の一例を示す図であり、表示画面１００は、患者等の個人データを表示する個人情報表示画面１０１と、薬品指定画面１０２から成る。
本発明の薬品情報提供装置１は、前記の別画面表示やポップアップ表示等の表示種別は、指定された薬品識別情報の種類やポインタ指定、クリック指定、チェックマーク指定等の指定種別毎に設定可能であり、例えば、図示するとおり、薬品識別情報の一つとして商品薬名「ＡＢＣ薬」がマウスオーバされた場合は、その薬品の処方量についての詳細情報１０４ａ（以下、“薬品詳細情報１０４ａ”とする）をポップアップ表示し、クリックされた場合は、その薬品に関する医学知識についての詳細情報１０４ｂ（以下、“薬品詳細情報１０４ｂ”とする）をポップアップ表示する。
【００６０】
また、薬品識別情報として「錠剤」、「散剤」及び「液剤」の区分が表示された薬品指定欄１０５がマウスオーバされた場合は、その薬品の容量といった処方指示についての詳細情報１０４ｃ１、１０４ｃ２等（適宜“薬品詳細情報１０４ｃ”とする）を表示する。なお、本図においては、「錠剤」の部分のチェックボックスがマウスオーバされた場合を示している。
【００６１】
また、薬品指定欄１０５にチェックマーク１０６が付与された場合は、薬品詳細情報を別画面１０３に表示するといったことが可能である。なお、本図においては、「液剤」の欄にチェックマーク１０６が付与された場合を示しており、この部分がマウスオーバされた場合は別画面１０３に表示された情報と同様の薬品詳細情報がポップアップ表示される。
【００６２】
また、上記の薬品詳細情報１０４ａ、１０４ｂ及び１０４ｃは階層化されていても良く、例えば、薬品詳細情報１０４ａ及び１０４ｃは、薬品詳細情報１０４ｂの簡易情報として位置付けることができる。
【００６３】
また、図３においては、薬品指定欄１０５の「錠剤」の部分にチェックボックスが２個存在し、左側のチェックボックスがマウスオーバされた場合は薬品詳細情報１０４ｃ１が表示され、右側のチェックボックスがマウスオーバされた場合は薬品詳細情報１０４ｃ２が表示される場合を示したが、これに限定されず、例えば、図４に示すとおり、薬品指定欄１０５の「錠剤」の部分にはチェックボックスを１個のみ表示させ、これがマウスオーバされた際には、薬品詳細情報１０４ｃ１及び１０４ｃ２の両方をポップアップ表示する構成とすることもできる。
【００６４】
この場合、ポップアップ表示された薬品詳細情報１０４ｃ１及び１０４ｃ２の内のいずれか一方がクリックされると、チェックボックスにチェックマークが付与され、薬品詳細情報が別画面１０３に表示される。なお、本図においては、薬品詳細情報１０４ｃ１がクリックされた場合を示している。
【００６５】
なお、図３及び図４においては、１種類の薬品（ＡＢＣ薬）に関する情報のみが表示されている場合を示したが、これに限定されず、複数の薬品識別情報を所定の優先順位に基づいて表示し、其々の薬品識別情報に関する詳細な情報を表示することができる。
【００６６】
図５は、図１の薬品情報提供装置１の作用を示すシーケンス図である。
薬品指定画面表示部１２は、モニタ１１に薬品指定画面を表示するとともに、表示が完了した旨を示す表示完了信号を送信し、（Ｓ１）、薬品識別情報表示部１３は、薬品指定画面表示部１２より送信された表示完了信号を受信すると、薬品識別情報を薬品識別情報記憶部１４より読み出し（Ｓ２）、モニタ１１に表示する（Ｓ３）。
【００６７】
そして、検知部１５は、ユーザが特定の薬品識別情報を表示した旨を検知すると（Ｓ４）、指定された薬品識別情報に対応する薬品詳細情報を表示するよう要求するための薬品詳細情報表示要求を薬品詳細情報表示部１６へ送信する（Ｓ５）。
【００６８】
薬品詳細情報表示部１６は、薬品詳細情報表示要求を受信すると、指定された薬品識別情報に対応する薬品詳細情報を薬品詳細情報記憶部１７より読み出し（Ｓ６）、モニタ１１に表示する（Ｓ７）。
【００６９】
なお、上記の薬品情報提供装置としては、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ、フレキシブルディスクドライブ、キーボード、ディスプレイ、通信ネットワークに接続して通信を行うための通信部等を有したコンピュータを用いることが可能であり、これにあたっては、前述の各部の機能を発現させるための薬品情報提供プログラムが読み込まれ、実行される。したがって、この薬品情報提供プログラムと、これを記録したフレキシブルディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＰＣ（Ｐｅｒｓｏｎａｌ  Ｃｏｍｐｕｔｅｒ）カード等のプログラム記録媒体、そして上記のコンピュータを用いた薬品情報提供方法も本発明の範囲に含まれる。
【００７０】
【発明の効果】
上記のとおり本発明の薬品情報提供装置、薬品情報提供プログラム及び薬品情報提供方法は、薬品を識別するための薬品識別情報と、これに対応付けられた薬品の使用法の詳細に係る薬品詳細情報とを記憶し、ユーザが薬品の指定を行うための薬品指定画面を情報提供画面に表示し、記憶された薬品識別情報を薬品指定画面に表示し、ユーザにより薬品指定画面に表示された薬品識別情報が指定された旨を検知すると指定された薬品識別情報と対応付けられた薬品詳細情報を読み取り、情報提供画面と薬品指定画面の内の少なくとも一方に表示するため、ユーザが薬品の詳細な情報を容易に入手することが可能となる。
【００７１】
また、ユーザが表示された薬品識別情報を指定するための移動可能なポインタを表示し、ポインタが表示された薬品識別情報上と表示された薬品識別情報の近傍の内の少なくとも一方へ移動したことにより表示された薬品識別情報がユーザにより指定された旨を検知するため、ユーザが薬品の詳細な情報を容易に入手することが可能となる。
【００７２】
また、表示された薬品識別情報を指定するにあたってポインタによりチェックマークが付与される薬品指定欄を表示し、ポインタにより薬品指定欄にチェックマークが付与されたことにより表示された薬品識別情報が指定された旨を検知するため、ユーザが薬品の詳細な情報を容易に入手することが可能となる。
【００７３】
また、薬品別情報を薬品指定画面に所定の優先順位に基づいて薬品指定画面の所定の位置に表示するため、ユーザが薬品の詳細な情報を容易に入手することが可能となる。
【００７４】
また、薬品識別情報と薬品詳細情報の内の少なくとも一方を他の端末へ送信し、これらの情報の内の少なくとも一方を他の端末から受信するため、他の装置との間で情報の共有が可能となり、薬品の詳細な情報の入手がさらに容易となる。
【００７５】
また、本発明のプログラム記録媒体は、上記の特徴を有する薬品情報提供プログラムを記録しているため、これをコンピュータに読み込ませ、実行させることにより利便性に富んだ上記の薬品情報提供装置を容易に実現させることができる。
【００７６】
以上の点から、ユーザが薬品に関する情報を迅速且つ容易に入手可能な薬品情報提供装置、薬品情報提供プログラム、プログラム記録媒体及び薬品情報提供方法を提供することが可能となる。
【図面の簡単な説明】
【図１】本発明の薬品情報提供装置の構成を示すブロック図である。
【図２】図１の薬品情報提供装置に記憶される情報の構成を示す図である。
【図３】図１の薬品情報提供装置により表示される画面の一例を示す図である。
【図４】図１の薬品情報提供装置により表示される画面の一例を示す図である。
【図５】図１の薬品情報提供装置の作用を示すシーケンス図である。
【符号の説明】
１  薬品情報提供装置
２  ネットワーク
１１  モニタ
１２  薬品指定画面表示部
１３  薬品識別情報表示部
１４  薬品識別情報記憶部
１５  検知部
１６  薬品詳細情報表示部
１７  薬品詳細情報記憶部
１８  記憶部
１９  送信部
２０  受信部
１２１  画面表示実行部
１２２  ポインタ表示部
１２３  薬品指定欄表示部
１３１  情報表示実行部
１３２  優先順位別表示部
１３３  所定位置表示部
１５１  ポインタ指定検知部
１５２  クリック指定検知部
１５３  チェックマーク指定検知部
【図１】
2004234502.tif 000003
【図２】
2004234502.tif 000004
【図３】
2004234502.tif 000005
【図４】
2004234502.tif 000006
【図５】
2004234502.tif 000007